(57)【要約】【課題】二次元コード等の表示をコピー機等によって複製された場合にも、そのようにして複製された真正ではない表示と複製されたものではない真正の表示とを区別することができる真贋判定方法を提供する。【解決手段】下記の工程を含んで、第１及び第２の領域を有する表示の真贋を判定する、真贋判定方法を提供する：表示の可視画像及び赤外画像を得ること（１２０、１３０）、可視画像及び赤外画像における第１の領域の画像を比較（１４０）し、かつ可視画像及び赤外画像における第２の領域の画像を比較（１６０）すること、並びに可視画像及び赤外画像における第１の領域の画像が一致し、かつ可視画像及び赤外画像における第２の領域の画像が一致しない場合に、表示を真正な表示であると判定（１５０）し、かつそれ以外の場合に表示を真正な表示ではないと判定（１７０）すること。【選択図】図１
2018147379.tif 000002
【特許請求の範囲】
【請求項１】
下記の工程を含んで、第１及び第２の領域を有する表示の真贋を判定する、真贋判定方法：
前記表示の可視画像及び赤外画像を得ること、
前記可視画像における前記第１の領域の画像と、前記赤外画像における前記第１の領域の画像とを比較し、かつ前記可視画像における前記第２の領域の画像と、前記赤外画像における前記第２の領域の画像とを比較すること、並びに
前記可視画像における前記第１の領域の画像と、前記赤外画像における前記第１の領域の画像とが一致し、かつ前記可視画像における前記第２の領域の画像と、前記赤外画像における前記第２の領域の画像とが一致しない場合に、前記表示を真正な表示であると判定し、かつそれ以外の場合に前記表示を真正な表示ではないと判定すること。
【請求項２】
前記表示が、情報コード、文字、数字、マーク、記号、絵、図形、写真、又はそれらの組合せである、請求項１に記載の方法。
【請求項３】
前記表示が情報コードである、請求項２に記載の方法。
【請求項４】
前記表示が二次元コードである、請求項３に記載の方法。
【請求項５】
前記二次元コードの前記第１の領域が、位置検出パターン領域を含み、かつ／又は前記コードの前記第２の領域が、データ領域を含む、請求項４に記載の方法。
【請求項６】
前記二次元コードの前記第１の領域が、位置検出パターン領域であり、かつ前記二次元コードの前記第２の領域が、データ領域である、請求項５に記載の方法。
【請求項７】
真正な表示であると判定された前記可視画像に基づいて、前記情報コードの解析を行う、請求項３〜６のいずれか一項に記載の方法。
【請求項８】
前記判定の前又は後であって、前記情報コードの解析の前に、前記可視画像の第１及び／又は第２の領域を色の濃淡に基づいて二値化処理する、請求項７に記載の方法。
【請求項９】
前記判定の前又は後であって、前記情報コードの解析の前に、前記可視画像の第１及び第２の領域の印刷部の色濃度の差が予め定められた範囲内になるように、前記可視画像の第１及び／又は第２の領域の印刷部の色濃度を調節する、請求項７又は８に記載の方法。
【請求項１０】
前記判定の前又は後であって、前記情報コードの解析の前に、前記可視画像の第１及び第２の領域の印刷部の位置関係が、予め定められた位置関係になるように、前記可視画像の第１及び／又は第２の領域の印刷部の位置を調節する、請求項７〜９のいずれか一項に記載の方法。
【請求項１１】
前記表示が商品の包装容器に付されている、請求項１〜１０のいずれか一項に記載の方法。
【請求項１２】
前記表示が紙又はプラスチックカードに付されている、請求項１〜１０のいずれか一項に記載の方法。
【請求項１３】
下記を具備して、第１及び第２の領域を有する表示の真贋を判定する、真贋判定装置：
前記表示の可視画像及び赤外画像を取得する、画像取得部、
前記可視画像における前記第１の領域の画像と、前記赤外画像における前記第１の領域の画像とを比較し、かつ前記可視画像における前記第２の領域の画像と、前記赤外画像における前記第２の領域の画像とを比較する、画像比較部、並びに
前記可視画像における前記第１の領域の画像と、前記赤外画像における前記第１の領域の画像とが一致し、かつ前記可視画像における前記第２の領域の画像と、前記赤外画像における前記第２の領域の画像とが一致しない場合に、前記表示を真正な表示であると判定し、かつそれ以外の場合に前記表示を真正な表示ではないと判定する、真贋判定部。
【請求項１４】
プロセッサに下記の工程を行わせて、第１及び第２の領域を有する表示の真贋を判定させる、真贋判定プログラム：
前記表示の可視画像及び赤外画像を、画像取得部に取得させること、
前記可視画像における前記第１の領域の画像と、前記赤外画像における前記第１の領域の画像とを比較し、かつ前記可視画像における前記第２の領域の画像と、前記赤外画像における前記第２の領域の画像とを比較すること、並びに
前記可視画像における前記第１の領域の画像と、前記赤外画像における前記第１の領域の画像とが一致し、かつ前記可視画像における前記第２の領域の画像と、前記赤外画像における前記第２の領域の画像とが一致しない場合に、前記表示を真正な表示であると判定し、かつそれ以外の場合に前記表示を真正な表示ではないと判定すること。
【発明の詳細な説明】
【技術分野】
【０００１】
本発明は、真贋判定方法、装置、及びプログラム、特に二次元コードの真贋判定方法、装置、及びプログラムに関する。
【背景技術】
【０００２】
二次元コードのような表示の偽造防止のためには、様々な案が提案されている。
【０００３】
例えば、特定の波長の光で読み取る２次元コードと、この２次元コードの上に形成され、かつこの特定の波長の光を吸収しない色材からなる隠蔽ベタ印刷層との組合せのみによって、コピー機による複製を防止することが検討されている。しかしながら、この場合、この２次元コードをサーマル印字によって得ると、サーマルヘッドによる熱擦過によって隠蔽ベタ印刷層が変質し、それによって隠蔽ベタ印刷層上からも二次元コードを実質的に認識でき、したがって複製が可能になるという問題があった。
【０００４】
このような問題に対して、特許文献１では、上記の隠蔽ベタ印刷層上に更に、第１及び第２のカモフラージュ印刷層、並びに透明マット系色材の層を積層することによって、隠蔽ベタ印刷層上からも二次元コードを実質的に認識できるという問題を解消することを意図している。
【先行技術文献】
【特許文献】
【０００５】
【特許文献１】特開２０１３−１０７８号公報
【発明の概要】
【発明が解決しようとする課題】
【０００６】
特許文献１では、隠蔽ベタ印刷層、第１及び第２のカモフラージュ印刷層、並びに透明マット系色材の層を組み合わせて用いることによって、コピー機による複製という問題を少なくとも部分的に解決しているものの、２次元コードをサーマル印字によって得る場合に、表面層上からも二次元コードを認識でき、それによって複製が可能になるという問題を本質的に解決するものではない。また、特許文献１の方法では、隠蔽ベタ印刷層、第１及び第２のカモフラージュ印刷層、並びに透明マット系色材の層といった多くの層が必要になるので、製造コストに関して改良の余地があった。
【０００７】
したがって、本発明では、二次元コード等の表示をコピー機等によって複製された場合にも、そのようにして複製された真正ではない表示と複製されたものではない真正の表示とを区別することができる真贋判定方法、装置、及びプログラムを提供する。
【課題を解決するための手段】
【０００８】
〈１〉下記の工程を含んで、第１及び第２の領域を有する表示の真贋を判定する、真贋判定方法：
上記表示の可視画像及び赤外画像を得ること、
上記可視画像における上記第１の領域の画像と、上記赤外画像における上記第１の領域の画像とを比較し、かつ上記可視画像における上記第２の領域の画像と、上記赤外画像における上記第２の領域の画像とを比較すること、並びに
上記可視画像における上記第１の領域の画像と、上記赤外画像における上記第１の領域の画像とが一致し、かつ上記可視画像における上記第２の領域の画像と、上記赤外画像における上記第２の領域の画像とが一致しない場合に、上記表示を真正な表示であると判定し、かつそれ以外の場合に上記表示を真正な表示ではないと判定すること。
〈２〉上記表示が、情報コード、文字、数字、マーク、記号、絵、図形、写真、又はそれらの組合せである、上記〈１〉項に記載の方法。
〈３〉上記表示が情報コードである、上記〈２〉項に記載の方法。
〈４〉上記表示が二次元コードである、上記〈３〉項に記載の方法。
〈５〉上記二次元コードの上記第１の領域が、位置検出パターン領域を含み、かつ／又は上記コードの上記第２の領域が、データ領域を含む、上記〈４〉項に記載の方法。
〈６〉上記二次元コードの上記第１の領域が、位置検出パターン領域であり、かつ上記二次元コードの上記第２の領域が、データ領域である、上記〈５〉項に記載の方法。
〈７〉真正な表示であると判定された上記可視画像に基づいて、上記情報コードの解析を行う、上記〈３〉〜〈６〉項のいずれか一項に記載の方法。
〈８〉上記判定の前又は後であって、上記情報コードの解析の前に、上記可視画像の第１及び／又は第２の領域を色の濃淡に基づいて二値化処理する、上記〈７〉項に記載の方法。
〈９〉上記判定の前又は後であって、上記情報コードの解析の前に、上記可視画像の第１及び第２の領域の印刷部の色濃度の差が予め定められた範囲内になるように、上記可視画像の第１及び／又は第２の領域の印刷部の色濃度を調節する、上記〈７〉又は〈８〉項に記載の方法。
〈１０〉上記判定の前又は後であって、上記情報コードの解析の前に、上記可視画像の第１及び第２の領域の印刷部の位置関係が、予め定められた位置関係になるように、上記可視画像の第１及び／又は第２の領域の印刷部の位置を調節する、上記〈７〉〜〈９〉項のいずれか一項に記載の方法。
〈１１〉上記表示が商品の包装容器に付されている、上記〈１〉〜〈１０〉項のいずれか一項に記載の方法。
〈１２〉上記表示が紙又はプラスチックカードに付されている、上記〈１〉〜〈１０〉項のいずれか一項に記載の方法。
〈１３〉下記を具備して、第１及び第２の領域を有する表示の真贋を判定する、真贋判定装置：
上記表示の可視画像及び赤外画像を取得する、画像取得部、
上記可視画像における上記第１の領域の画像と、上記赤外画像における上記第１の領域の画像とを比較し、かつ上記可視画像における上記第２の領域の画像と、上記赤外画像における上記第２の領域の画像とを比較する、画像比較部、並びに
上記可視画像における上記第１の領域の画像と、上記赤外画像における上記第１の領域の画像とが一致し、かつ上記可視画像における上記第２の領域の画像と、上記赤外画像における上記第２の領域の画像とが一致しない場合に、上記表示を真正な表示であると判定し、かつそれ以外の場合に上記表示を真正な表示ではないと判定する、真贋判定部。
〈１４〉プロセッサに下記の工程を行わせて、第１及び第２の領域を有する表示の真贋を判定させる、真贋判定プログラム：
上記表示の可視画像及び赤外画像を、画像取得部に取得させること、
上記可視画像における上記第１の領域の画像と、上記赤外画像における上記第１の領域の画像とを比較し、かつ上記可視画像における上記第２の領域の画像と、上記赤外画像における上記第２の領域の画像とを比較すること、並びに
上記可視画像における上記第１の領域の画像と、上記赤外画像における上記第１の領域の画像とが一致し、かつ上記可視画像における上記第２の領域の画像と、上記赤外画像における上記第２の領域の画像とが一致しない場合に、上記表示を真正な表示であると判定し、かつそれ以外の場合に上記表示を真正な表示ではないと判定すること。
【発明の効果】
【０００９】
本発明の真贋判定方法、装置、及びプログラムによれば、二次元コード等の表示をコピー機等によって複製された場合にも、そのようにして複製された真正ではない表示と複製されたものではない真正の表示とを識別することができる。
【図面の簡単な説明】
【００１０】
【図１】図１は、本発明の真贋判定方法を説明するためのフローチャートである。
【図２】図２は、本発明を説明するための図であって、二次元コードにおいて、位置検出パターン領域が赤外線吸収性印刷で印刷されており、かつデータ領域が赤外線非吸収性印刷である場合、すなわち二次元コードが真正である場合の、（ａ）可視画像及び（ｂ）赤外画像である。
【図３】図３は、本発明を説明するための図であって、二次元コードにおいて、位置検出パターン領域及びデータ領域がいずれも、赤外線吸収性印刷である場合、すなわち二次元コードが真正ではない場合の、（ａ）可視画像及び（ｂ）赤外画像である。
【図４】図４は、本発明を説明するための図であって、二次元コードにおいて、位置検出パターン領域及びデータ領域がいずれも、赤外線非吸収性印刷である場合、すなわち二次元コードが真正ではない場合の、（ａ）可視画像及び（ｂ）赤外画像である。
【図５】図５は、本発明で真贋を判定される表示の層構成を例示する図である。
【図６】図６は、可視画像の第１及び／又は第２の領域を色の濃淡に基づいて二値化する処理を説明するためのフローチャートである。
【図７】図７は、図６で説明される処理を説明するための図である。
【図８】図８は、可視画像の第１及び第２の領域の印刷部の色濃度の差が予め定められた範囲内になるように、可視画像の第１及び／又は第２の領域の印刷部の色濃度を調節する処理を説明するためのフローチャートである。
【図９】図９は、図８で説明される処理を説明するための図である。
【図１０】図１０は、可視画像の第１及び第２の領域の位置の位置関係が、予め定められた位置関係になるように、可視画像の第１及び／又は第２の領域の位置を調節する処理を説明するためのフローチャートである。
【図１１】図１１は、図１０で説明される処理を説明するための図である。
【図１２】図１２は、本発明の真贋判定装置の概略図である。
【発明を実施するための形態】
【００１１】
《真贋判定方法》
表示の真贋を判定する本発明の方法では、第１及び第２の領域を有する表示の真贋を判定する。ここで、この本発明の方法では、第１の領域が赤外線吸収性印刷を有し、かつ第２の領域が赤外線非吸収性印刷を有する表示を、真正な表示として判断する。
【００１２】
この本発明の方法は、下記の工程を含む：
表示の可視画像及び赤外画像を得ること、
可視画像における第１の領域の画像と、赤外画像における第１の領域の画像とを比較し、かつ可視画像における第２の領域の画像と、赤外画像における第２の領域の画像とを比較すること、並びに
可視画像における第１の領域の画像と、赤外画像における第１の領域の画像とが一致し、かつ可視画像における第２の領域の画像と、赤外画像における第２の領域の画像とが一致しない場合に、表示を真正な表示であると判定し、それ以外の場合に表示を真正な表示ではないと判定すること。
【００１３】
この本発明の方法は、可視光カメラ、赤外線カメラ、及びプロセッサを用いて行うことができ、すなわち可視光カメラ赤外線カメラによって表示の可視画像及び赤外画像を得、そしてプロセッサによって画像の比較及び真正か否かの判定を行うことができる。特にこの本発明の方法は、プロセッサが可視光カメラ及び赤外線カメラを制御するようにして行うことができる。
【００１４】
この本発明の方法は、可視光カメラ、赤外線カメラ、及びプロセッサを一体として有することができる下記で示す本発明の真贋判定装置を用いて実施することができる。また、この本発明の方法は、プロセッサに可視光カメラ及び赤外線カメラを制御させる本発明の真贋判定プログラムを用いて実施することができる
【００１５】
この本発明の方法では、表示は、情報コード、文字、数字、マーク、記号、絵、図形、写真、又はそれらの組合せ等であってよい。
【００１６】
表示の任意の部分を、第１及び第２の領域とすることができる。したがって例えば、表示を、情報コード、文字、数字、マーク、記号、絵、図形、又は写真のいずれかとして、そのうちの一部の領域を、第１の領域とし、かつ他の一部の領域を、第２の領域とすることができる。また、表示を、情報コード、文字、数字、マーク、記号、絵、図形、及び写真の組合せとして、そのうちの１つを第１の領域とし、かつ他の１つを第２の領域とすることができる。
【００１７】
表示が、絵又は写真である場合、そのうちの一部の領域を、第１の領域とし、かつ他の一部の領域を、第２の領域とすることができる。具体的には、特定の絵又は写真の上側半分を第１の領域とし、かつその絵又は写真の下側半分を第２の領域とすることができる。
【００１８】
表示が、絵及び／又は写真と、文字及び／又は数字との組合せである場合、この組合せとしては例えば、学生証、社員証のような身分証の顔写真と氏名又は整理番号との組合せが挙げられる。
【００１９】
この場合、例えば、第１の領域が、レーザー印刷等の赤外線吸収性吸収印刷で得られた顔写真欄であり、かつ第２の領域が、混色黒インキ印刷等の赤外線非吸収印刷で得られた氏名又は整理番号欄であってよい。
【００２０】
表示が情報コードである場合、この情報コードとしては、一次元コード及び一次元コードが挙げられる。さらに一次元コードとしては、例えばＣＯＤＥ３９（商標）、ＣＯＤＥ１２８（商標）、ＪＡＮ（商標）、ＩＴＦ（商標）等のバーコードが挙げられ、二次元コードとしては、例えばＱＲコード（商標）、ＰＤＦ４１７（商標）、データマトリックス（商標）、ＣＰコード（商標）、ＭａｘｉＣｏｄｅ（商標）等が挙げられる。
【００２１】
表示が二次元コードである場合、二次元コードの第１の領域が、位置検出パターン領域を含み、かつ／又はコードの第２の領域が、データ領域を含むことができる。また更に、二次元コードの第１の領域が、位置検出パターン領域であり、かつ二次元コードの第２の領域が、データ領域であってよい。
【００２２】
更に、この本発明の方法では、表示が情報コードである場合、真正な表示であると判定された可視画像に基づいて、情報コードの解析を行うことができる。
【００２３】
なお、本発明の方法では、真贋を判定される表示の一部であってよい位置検出パターンを基準に、第１及び第２の領域の位置を予め定めておくことができる。また、本発明の方法では、可視画像及び／又は赤外画像に基づいて、それぞれ所定の条件を満たす領域を第１及び第２の領域として特定することができる。
【００２４】
以下では、この本発明の方法について、表示が二次元コードである態様について説明する。
【００２５】
特に、以下では、この本発明の方法について、表示が二次元コードであり、二次元コードの第１の領域が、赤外線吸収性印刷を有する位置検出パターン領域であり、かつ二次元コードの第２の領域が、赤外線非吸収性印刷を有するデータ領域である場合について説明する。ただし、表示が二次元コードである場合にも、本発明の方法はこのような態様に限定されず、二次元コードの第１の領域が、位置検出パターン領域及びその他の領域を含み、かつ／又は二次元コードの第２の領域が、データ領域及びその他の領域を含んでいてもよい。
【００２６】
本発明の方法でははじめに、図１に示すように、処理を開始し（１１０）、そして二次元コードの可視画像及び赤外画像を得る（１２０、１３０）。
【００２７】
その後、本発明の方法では、可視及び赤外画像における第１の領域が一致するか否かを判定し（１４０）、そして可視及び赤外画像における第１の領域が一致しない場合には、二次元コードが真正なものではないと判断し（１５０）、他方で可視及び赤外画像における第１の領域が一致する場合には、更に可視及び赤外画像における第２の領域が一致するか否かを判定する（１６０）。そして、可視及び赤外画像における第２の領域が一致しない場合には、二次元コードが真正なものであると判断し（１７０）、他方で可視及び赤外画像における第２の領域が一致する場合には、二次元コードが真正なものではないと判断する（１８０）。
【００２８】
〈二次元コードが真正なものである場合〉
具体的には、表示が二次元コードであり、かつこの二次元コードが、二次元コードの第１の領域が、赤外線吸収性印刷を有する位置検出パターン領域であり、かつ二次元コードの第２の領域が、赤外線非吸収性印刷を有するデータ領域である二次元コードである場合、すなわち二次元コードが真正なものである場合、二次元コードの可視画像（２００）では、図２（ａ）に示すように、位置検出パターン領域の赤外線吸収性印刷（２００ａ）、及びデータ領域の赤外線非吸収性印刷（２００ｂ）の両方が表示される。これに対して、この場合、二次元コードの赤外画像（３００）では、図２（ｂ）に示すように、位置検出パターン領域の赤外線吸収性印刷（３００ａ）のみ表示されており、データ領域の赤外線非吸収性印刷（３００ａ）は表示されない。
【００２９】
したがって、可視画像における第１の領域の画像と、赤外画像における第１の領域の画像とを比較し、かつ可視画像における第２の領域の画像と、赤外画像における第２の領域の画像とを比較すると、上記で図１のフローチャートに関して説明したように、可視画像における第１の領域の画像（２００ａ）と、赤外画像における第１の領域の画像（３００ａ）とが一致し（１４０）、かつ可視画像における第２の領域の画像（２００ｂ）と、赤外画像における第２の領域の画像（３００ｂ）とが一致せずに（１６０）、それによってこの二次元コードが真正であることが判断される（１７０）。
【００３０】
〈二次元コードが真正なものではない場合１〉
これに対して、二次元コードにおいて、位置検出パターン領域及びデータ領域の両方が赤外線吸収性印刷である場合、すなわち二次元コードが真正ではない場合、二次元コードの可視画像（２１０）では、図３（ａ）に示すように、位置検出パターン領域の赤外線吸収性印刷（２１０ａ）、及びデータ領域の赤外線吸収性印刷（２１０ｂ）の両方が表示される。これに対して、この場合、二次元コードの赤外画像（３１０）でも、図３（ｂ）に示すように、位置検出パターン領域の赤外線吸収性印刷（３１０ａ）、及びデータ領域の赤外線吸収性印刷（３１０ｂ）の両方が表示される。
【００３１】
したがって、可視画像における第１の領域の画像と、赤外画像における第１の領域の画像とを比較し、かつ可視画像における第２の領域の画像と、赤外画像における第２の領域の画像とを比較すると、上記で図１のフローチャートに関して説明したように、可視画像における第１の領域の画像（２１０ａ）と、赤外画像における第１の領域の画像（３１０ａ）とが一致し（１４０）、かつ可視画像における第２の領域の画像（２１０ｂ）と、赤外画像における第２の領域の画像（３１０ｂ）とが一致し（１６０）、それによってこの二次元コードが真正なものではないことが判断される（１８０）。
【００３２】
〈二次元コードが真正なものではない場合２〉
更に、二次元コードにおいて、位置検出パターン領域及びデータ領域の両方が赤外線非吸収性印刷である場合、すなわち二次元コードが真正ではない場合、二次元コードの可視画像（２２０）では、図４（ａ）に示すように、位置検出パターン領域の赤外線非吸収性印刷（２２０ａ）、及びデータ領域の赤外線非吸収性印刷（２２０ｂ）の両方が表示される。これに対して、この場合、二次元コードの赤外画像（３２０）では、図４（ｂ）に示すように、位置検出パターン領域の赤外線非吸収性印刷（３２０ａ）、及びデータ領域の赤外線非吸収性印刷（３２０ｂ）の両方が表示されない。
【００３３】
したがって、可視画像における第１の領域の画像と、赤外画像における第１の領域の画像とを比較すると、上記で図１のフローチャートに関して説明したように、可視画像における第１の領域の画像（２２０ａ）と、赤外画像における第１の領域の画像（３２０ａ）とが一致せず（１４０）、それによってこの二次元コードが真正なものではないことが判断される（１５０）。
【００３４】
〈第１及び第２の領域を有する表示及び表示を付されている物品〉
本発明の方法において真贋を判定される表示は、第１及び第２の領域を有し、第１の領域が赤外線吸収性印刷を有し、かつ第２の領域が赤外線非吸収性印刷を有する。このような表示の製造に関しては、例えば特許文献１の記載を参照することができる。
【００３５】
具体的には、本発明の方法において真贋を判定される表示では、第１の領域において用いられる赤外線吸収性印刷は、第２の領域において用いられる赤外線非吸収性印刷と比較して、同じ色濃度では赤外線の吸収率が大きい任意の印刷であってよい。このような印刷は例えば、カーボン等の赤外線吸収性が高い顔料を含むインキによって形成された印刷であってよい。
【００３６】
また、本発明の方法において真贋を判定される表示では、第２の領域において用いられる赤外線非吸収性印刷は、第１の領域において用いられる赤外線吸収性印刷と比較して、同じ色濃度では赤外線の吸収率が小さい任意の印刷であってよい。このような印刷は例えば、書換可能印刷、カーボン等の赤外線吸収性が高い顔料を含まないインキによって形成された印刷、具体的には赤系、緑系、及び青系の顔料又は染料を混合して得た混色黒インキによって形成された印刷であってよい。
【００３７】
ここで、書換可能印刷は、使用の態様において書き換えることができる任意の印刷であってよく、特に熱によって可逆性感熱記録層に印刷された書換可能印刷であってよい。また、可逆性感熱記録層は、例えば樹脂母材中に有機低分子が分散されている白濁タイプの可逆性感熱記録層、又はロイコ染料、可逆性顕色剤及び樹脂を含有するロイコタイプの可逆性感熱記録層であってよい。
【００３８】
したがって、例えば本発明の方法において真贋を判定される表示において、赤外線非吸収性印刷が、ロイコ染料を用いた書換可能印刷であり、かつ赤外線吸収性印刷が、カーボン等の赤外線吸収性が高い顔料を含むインキによって形成された印刷である場合、表示を有する媒体の製造時に、第２の領域をロイコ染料で書換可能にしておくと共に、第１の領域に、カーボン含有インキによって赤外線吸収性印刷をしておくことができる。これによれば、表示を構成している媒体の製造後に、実際にその媒体を使用する段階で、サーマルプリンタ等によって、第２の領域のロイコ染料を変色させて、書換可能印刷を行うことができる。この態様では、第２の領域のロイコ染料によって書換可能にしつつ、本発明の真贋判定方法を適用することができる。
【００３９】
本発明の方法によって真贋を判定される表示を付されている物品は、商品の包装容器、タグ、ラベル、カード、例えばプラスチックカード及び紙カードであってよい。
【００４０】
表示を付されている物品が、商品の包装容器であることは、表示の真贋を判定することによって、その包装容器に収納されている商品の真贋を実質的に判定することができる点で好ましい。
【００４１】
特に、表示を付されている物品が、商品の包装容器であり、かつ表示が情報コードであることは、表示の真贋を判定することによって、その包装容器に収納されている商品の真贋、及びその情報コードが示す情報の真贋を実質的に判定することができる点で好ましい。
【００４２】
また、表示を付されている物品が、カード、例えばプラスチックカード及び紙カードであることは、表示の真贋を判定することによって、そのカードの真贋を実質的に判定することができる点で好ましい。
【００４３】
特に、表示を付されている物品が、カードであり、かつ表示が情報コードであることは、表示の真贋を判定することによって、そのカードの真贋、及びその情報コードが示す情報の真贋を実質的に判定することができる点で好ましい。
【００４４】
より特に、表示を付されている物品が、カードであり、表示が情報コードであり、赤外線非吸収性印刷が、ロイコ染料を用いた書換可能印刷であり、かつ赤外線吸収性印刷が、カーボンを含むインキによって形成された印刷であることは、赤外線非吸収性印刷が書換可能であるという利点を、上記の利点に加えて提供できる点で好ましい。
【００４５】
本発明の方法において真贋を判定される表示を構成している媒体の層構成は、例えば図５に示すようなものであってよい。
【００４６】
すなわち例えば、図５（ａ）に示すように、本発明の方法において真贋を判定される表示を構成している媒体（５１０）は、コア基材（５１２）上に、レーザー発色基材（５１４）、透明基材（５１６）、及び書換可能層（５１８）を有することができる。
【００４７】
表示を付されている物品がカードである場合、コア基材として、紙、ＰＥＴＧ、ＰＣ、ＰＶＣ（ポリ塩化ビニル）のフィルム又はシートを用いることができ、レーザー発色基材として、ＰＥＴＧ（グリコール変性ポリエチレンテレフタレート）、ＰＣ（ポリカーボネート）フィルムを用いることができ、透明基材として、ＰＥＴ（ポリエチレンテレフタレート）フィルムを用いることができ、かつ書換可能層としてロイコ染料を有する書換可能層を用いることができる。
【００４８】
図５（ａ）に示す態様では、表示を構成している媒体の製造時に、レーザー発色基材（５１４）にレーザーによって赤外線吸収性印刷（５１０ａ）を提供し、そしてその後の任意のときに、書換可能層にサーマルプリンタによって赤外線非吸収性印刷（５１０ｂ）を提供することができる。
【００４９】
したがって、表示を付されている物品がカードである場合、カードの製造時にカード製造者が、又はカードの仮発行時にカードを発行するサービス提供者が、レーザー発色基材にレーザーによって赤外線吸収性印刷を提供し、そしてその後、カードの正式発行時にカードを発行するサービス提供者が、書換可能層にサーマルプリンタによって赤外線非吸収性印刷を提供することができる。
【００５０】
また、図５（ｂ）に示すように、本発明の方法において真贋を判定される表示を構成している媒体（５２０）は、コア基材（５２２）上に、赤外線吸収性印刷（５２０ａ）及び赤外線非吸収性印刷（５２０ｂ）、並びにそれらを覆う透明基材（５２６）を有することができる。
【００５１】
表示を付されている物品がカードである場合、コア基材として、紙、ＰＥＴＧ、ＰＣ、又はＰＶＣのフィルム又はシートを用いることができ、赤外線吸収性印刷としてカーボン入りインキによる印刷を用いることができ、赤外線非吸収性印刷としてカーボンを含有しないインキによる印刷を用いることができ、かつ透明基材として、ＰＥＴ、ＰＥＴＧ、ＰＣ、又はＰＶＣのフィルムを用いることができる。
【００５２】
図５（ｂ）に示す態様では、表示を構成している媒体の製造時に、赤外線吸収性印刷（５２０ａ）及び赤外線非吸収性印刷（５２０ｂ）を提供することができる。
【００５３】
したがって、表示を付されている物品がカードである場合、カードの製造時にカード製造者が、赤外線吸収性印刷及び赤外線非吸収性印刷を提供することができる。
【００５４】
また、図５（ｃ）に示すように、本発明の方法において真贋を判定される表示を構成している媒体（５３０）は、コア基材（５３２）上に、赤外線吸収性印刷（５３０ａ）、及びそれを覆う透明基材（５３６）を有し、更にその上に赤外線非吸収性印刷（５３０ｂ）を有することができる。
【００５５】
表示を付されている物品がカードである場合、コア基材として、紙、ＰＥＴＧ、ＰＣ、ＰＶＣのフィルム又はシートを用いることができ、赤外線吸収性印刷としてカーボン入りインキによる印刷を用いることができ、透明基材として、ＰＥＴ、ＰＥＴＧ、ＰＣ、又はＰＶＣのフィルムを用いることができ、かつ赤外線非吸収性印刷として熱転写印刷を用いることができる。
【００５６】
図５（ｃ）に示す態様では、媒体の製造時に、赤外線吸収性印刷（５３０ａ）を提供し、そしてその後の任意のときに、透明基材（５３６）上に、赤外線非吸収性印刷（５３０ｂ）を提供することができる。
【００５７】
したがって、表示を付されている物品がカードである場合、カードの製造時にカード製造者が、赤外線吸収性印刷を提供し、そしてその後、カードの発行時にカードを発行するサービス提供者が、透明基材上に熱転写プリンタによって赤外線非吸収性印刷を提供することができる。
【００５８】
〈画像補正（二値化処理）〉
表示の真贋を判定する本発明の方法は、判定の前又は後であって、情報コードの解析の前に、可視画像の第１及び／又は第２の領域を色の濃淡に基づいて二値化処理することを含んでもよい。
【００５９】
具体的にはこの処理は、図６に示すように、処理を開始し（６１０）、情報コードの可視画像を得（６２０）、可視画像の第１及び／又は第２の領域を色の濃淡に基づいて二値化処理し（６３０）、そして処理を終了（６８０）することを含む。ここで、この二値化処理は、あらかじめ定めた閾値の値と比較して、画素の値が大きければ白、小さければ黒に変換することによって、画像を白と黒の２階調に変換する処理であるであってよい。
【００６０】
このような二値化処理は、表示の第２の領域の赤外線非吸収性印刷が書換可能印刷であり、印刷及び消去を繰り返し行われている場合に、表示の第２の領域について行うことが特に好ましい。すなわち、この場合、繰り返しの印刷及び消去によって、印刷の消し残り及び発色不足が生じることがあり、このような場合に可視画像の第２の領域を色の濃淡に基づいて二値化処理すると、情報コードの解析のエラーを抑制することができる。
【００６１】
このような二値化は、具体的には、情報コードが二次元コードである場合、図７（ａ）に示すように、第１の領域（７１０）及び第２の領域（７２０）を有する二次元コードの可視画像（７００）を得、図７（ｂ）及び（ｃ）に示すように、そのうちの第２の領域（７２０）について、所定のしきい値を用いて、色の濃淡に基づいて二値化を行い、図７（ｄ）に示すような補正画像を得ることができる。具体的にはこのしきい値は、本来は印刷が存在して黒であるべきにもかかわらず印刷の色が薄くなっている箇所（７２０ａ）が、黒に変換され、かつ本来は印刷が存在せずに白であるべきにもかかわらず汚れ等によって色がついている箇所（７２０ｂ）が、黒に変換されるように選択することが好ましい。
【００６２】
〈画像補正（色濃度の調節）〉
表示の真贋を判定する本発明の方法は、判定の前又は後であって、情報コードの解析の前に、可視画像の第１及び第２の領域の印刷部の色濃度の差が予め定められた範囲内になるように、可視画像の第１及び／又は第２の領域の印刷部の色濃度を調節することを含んでもよい。
【００６３】
具体的にはこの処理は、図８に示すように、処理を開始し（８１０）、情報コードの可視画像を得（８２０）、可視画像の第１及び第２の領域の印刷部の色濃度の差が予め定められた範囲内になるように、可視画像の第１及び／又は第２の領域の印刷部の色濃度を調節し（８３０）、そして処理を終了（８８０）することを含む。
【００６４】
本発明の方法で真贋を判定される表示は、真正なものである場合、第１の領域が、赤外線吸収性印刷を有し、かつ第２の領域が、赤外線非吸収性印刷を有することができる。すなわち、本発明の方法で真贋を判定される表示は、真正なものである場合、第１及び第２の領域が互いに異なる種類の印刷を有する。
【００６５】
この場合、可視画像の第１及び第２の領域の印刷部の色濃度は互いに異なっていることがあり、このような場合に可視画像の第１及び第２の領域の印刷部の色濃度の差が予め定められた範囲内になるように、可視画像の第１及び／又は第２の領域の印刷部の色濃度を調節すると、情報コードの解析のエラーを抑制することができる。
【００６６】
このような色濃度の調節は、具体的には、情報コードが二次元コードである場合、図９（ａ）に示すように、第１の領域（９１０）及び第２の領域（９２０）を有する二次元コードの可視画像（９００）を得、図９（ｂ）に示すように、第１及び第２の領域の印刷部の色濃度を比較し、印刷部の色濃度の差が予め定められた範囲内になるように、可視画像の第１及び／又は第２の領域の印刷部の色濃度を調節して、図９（ｃ）に示すような補正画像を得ることができる。
【００６７】
〈画像補正（位置の調節）〉
表示の真贋を判定する本発明の方法は、判定の前又は後であって、情報コードの解析の前に、可視画像の第１及び第２の領域の印刷部の位置関係が、予め定められた位置関係になるように、可視画像の第１及び／又は第２の領域の印刷部の位置を調節することを含んでもよい。
【００６８】
具体的にはこの処理は、図１０に示すように、処理を開始し（１０１０）、情報コードの可視画像を得（１０２０）、可視画像の第１及び第２の領域の印刷部の位置関係が、予め定められた位置関係になるように、可視画像の第１及び／又は第２の領域の印刷部の位置を調節し（１０３０）、そして処理を終了（１０８０）することを含む。
【００６９】
本発明の方法で真贋を判定される表示は、真正なものである場合、第１の領域が、赤外線吸収性印刷を有し、かつ第２の領域が、赤外線非吸収性印刷を有することができる。すなわち、本発明の方法で真贋を判定される表示は、真正なものである場合、第１及び第２の領域が互いに異なる種類の印刷を有し、したがって通常は異なるタイミングで印刷されている。
【００７０】
この場合、可視画像の第１及び第２の領域の印刷部の相対的な位置がずれていることがあり、このような場合に可視画像の第１及び第２の領域の印刷部の位置関係が、予め定められた位置関係になるように、可視画像の第１及び／又は第２の領域の印刷部の位置を調節すると、情報コードの解析のエラーを抑制することができる。
【００７１】
このような相対的な位置の調節は、具体的には、情報コードが二次元コードである場合、図１１（ａ）に示すように、第１の領域（１１１０）及び第２の領域（１１２０）を有する二次元コードの可視画像（１１００）を得、図１１（ｂ）に示すように、第１の領域の印刷部（１１１０）と第２の領域（１１２０）の印刷部とを分けて認識し、そしてそれらの相対的な位置が予め定められた位置関係になるように、可視画像の第１及び／又は第２の領域の印刷部の位置を調節して、図１１（ｃ）に示すような補正画像を得ることができる。
【００７２】
ここで、第１及び第２の領域の印刷部を分けて認識するためには、第１の領域（１１１０）の印刷部及び第２の領域（１１２０）の印刷部を表示している二次元コードの可視画像（１１００）と、第１の領域（１１１０）の印刷部のみを表示している二次元コードの赤外画像の差分から、第２の領域（１１２０）の印刷部の画像を得ることができる。
【００７３】
《表示の真贋判定装置》
本発明の真贋判定装置は、下記を具備しており、かつ第１及び第２の領域を有する表示の真贋を判定する：
表示の可視画像及び赤外画像を取得する、画像取得部、
可視画像における第１の領域の画像と、赤外画像における第１の領域の画像とを比較し、かつ可視画像における第２の領域の画像と、赤外画像における第２の領域の画像とを比較する、画像比較部、並びに
可視画像における第１の領域の画像と、赤外画像における第１の領域の画像とが一致し、かつ可視画像における第２の領域の画像と、赤外画像における第２の領域の画像とが一致しない場合に、表示を真正な表示であると判定し、かつそれ以外の場合に表示を真正な表示ではないと判定する、真贋判定部。
【００７４】
図１２に示すように、本発明の真贋判定装置において、画像取得部（１２２０）は、可視画像カメラ及び赤外画像カメラであってよく、画像比較部及び真贋判定部は、プロセッサ（１２１０）であってよい。また、図１２に示すように、本発明の装置（１２００）は、メモリのような記憶部（１２３０）、ディスプレイのような表示部（１２４０）、及びタッチパネル又は操作ボタンのような操作部（１２５０）を有することができる。したがって、本発明の装置では、取得する画像を選択するために操作部を用いること、真贋判定結果を表示部に表示すること、及び真贋判定結果を記憶部に記憶することができる。本発明の真贋判定装置の詳細については、本発明の真贋判定方法に関する記載を参照することができる。
【００７５】
《表示の真贋判定プログラム》
本発明の真贋判定プログラムは、プロセッサに下記の工程を行わせて、第１及び第２の領域を有する表示の真贋を判定する：
表示の可視画像及び赤外画像を、画像取得部に取得させること、
可視画像における第１の領域の画像と、赤外画像における第１の領域の画像とを比較し、かつ可視画像における第２の領域の画像と、赤外画像における第２の領域の画像とを比較すること、
可視画像における第１の領域の画像と、赤外画像における第１の領域の画像とが一致し、かつ可視画像における第２の領域の画像と、赤外画像における第２の領域の画像とが一致しない場合に、表示を真正な表示であると判定し、かつそれ以外の場合に表示を真正な表示ではないと判定すること。
【００７６】
本発明の真贋判定プログラムの詳細については、本発明の真贋判定方法及び装置に関する記載を参照することができる。
【符号の説明】
【００７７】
２００、２１０、２２０    二次元コードの可視画像
２００ａ、２１０ａ、２２０ａ    二次元コードの可視画像における第１の領域
２００ｂ、２１０ｂ、２２０ｂ    二次元コードの可視画像における第２の領域
３００、３１０、３２０    二次元コードの赤外画像
３００ａ、３１０ａ、３２０ａ    二次元コードの赤外画像における第１の領域
３００ｂ、３１０ｂ、３２０ｂ    二次元コードの赤外画像における第２の領域
５１０、５２０、５３０    真贋を判定される表示を構成している媒体
５１０ａ、５２０ａ、５３０ａ    赤外線吸収性印刷
５１０ｂ、５２０ｂ、５３０ｂ    赤外線非吸収性印刷
【図１】
2018147379.tif 000003
【図２】
2018147379.tif 000004
【図３】
2018147379.tif 000005
【図４】
2018147379.tif 000006
【図５】
2018147379.tif 000007
【図６】
2018147379.tif 000008
【図７】
2018147379.tif 000009
【図８】
2018147379.tif 000010
【図９】
2018147379.tif 000011
【図１０】
2018147379.tif 000012
【図１１】
2018147379.tif 000013
【図１２】
2018147379.tif 000014